(57)【要約】      （修正有）【課題】発光ダイオードの効率を上げ、電流を下げ、温度を下げ、光度を向上させることを達成する発光ダイオードの定電流装置を提供する。【解決手段】第１発光機構１及び第１発光機構１と並列に配置する第２発光機構２を含む。第１発光機構１は第１定電流の制御ユニット１１及び第１定電流の制御ユニット１１と直列する複数の第１発光ダイオードモジュール１２を含み、第２発光機構２は第２定電流の制御ユニット２１及び第２定電流の制御ユニット２１と直列する複数の第２発光ダイオードモジュール２２を含む。電流を第１定電流の制御ユニット１１から第２定電流の制御ユニット２１に分流させる時、両方との間で形成される降圧によって電位差が生じる。電位差を用いて、第１発光ダイオードモジュール１２と第２発光ダイオードモジュール２２を点灯させ、効率を上げ、電流を下げ、温度を下げ及び光度を向上できる。【選択図】図１
0003193647.tif 000002
【実用新案登録請求の範囲】
【請求項１】
第１定電流の制御ユニット及び第１定電流の制御ユニットと直列する複数の第１発光ダイオードモジュールを含む第１発光機構と、第２定電流の制御ユニット及び第２定電流の制御ユニットと直列する複数の第２発光ダイオードモジュールを含む第２発光機構と、を備えることを特徴とする発光ダイオードの定電流装置。
【請求項２】
前記第１定電流の前記制御ユニットは高電圧であり、前記第２定電流の前記制御ユニットは低電圧であり、電流を前記第１定電流の前記制御ユニットから前記第２定電流の前記制御ユニットに分流させる時、降圧によって電位差が生じる請求項１記載の発光ダイオードの定電流装置。
【請求項３】
前記第１定電流の制御ユニットは、金属酸化膜半導体電界効果トランジスタ、電界効果トランジスタ、抵抗及びダイオードを含む請求項１記載の発光ダイオードの定電流装置。
【請求項４】
前記第２定電流の制御ユニットは、金属酸化膜半導体電界効果トランジスタ、電界効果トランジスタ、抵抗及びダイオードを含む請求項１記載の発光ダイオードの定電流装置。
【考案の詳細な説明】
【考案の詳細な説明】
【技術分野】
【０００１】  本考案は、発光ダイオードの定電流装置に関し、特に電流を第１定電流の制御ユニットから第２定電流の制御ユニットに分流させる時、両方との間で形成される降圧によって、電位差を生じさせる。この電位差を用いて、第１発光ダイオードモジュールと第２発光ダイオードモジュールを点灯させ、効率を上げ、電流を下げ、温度を下げ、光度を向上させることを達成する。
【背景技術】
【０００２】  一般的には、発光ダイオードは、従来のランプより軽量、省エネ等の利点を有する。よって、現在は照明器具として広く使用されている。従来の発光ダイオードのランプは、回路基板、回路基板に設ける複数の発光ダイオード、コンデンサ、抵抗及びトランジスタから構成されている。これにより、それぞれの発光ダイオードに点灯させる電流が提供できる。
【考案が解決しようとする課題】
【０００３】  しかし、従来の発光ダイオードは、電流を増やすことによって発光効率を向上させる。よって、電流の増加に伴って一部には熱が過度に増加する問題の恐れがある。回路基板の両面によって放熱することが可能であるが、回路基板は単一のプレートのみで構成しているのが多いので、両端面だけで放熱するので、又、熱伝導係数も低いため、熱が蓄積しやすく、外部に速く放熱を行なうことは容易ではないので、発光ダイオードの光度と操作効率の向上ができない。
【考案の概要】
【０００４】  前記従来の発光ダイオードの定電流装置の欠点は、改善の余地があった。本考案者は、長年の業界経験を通して慎重に検討した結果、発光ダイオードの定電流装置を開発し、前記欠点を克服した。電流を第１定電流の制御ユニットから第２定電流の制御ユニットに分流させる時、両方との間で形成される降圧によって、電位差を生じる。この電位差を用いて、第１発光ダイオードモジュールと第２発光ダイオードモジュールを点灯させ、効率を上げ、電流を下げ、温度を下げ、光度を向上させることを達成する。
【課題を解決するための手段】
【０００５】  前記目的を達成するために、本考案の発光ダイオードの定電流装置は、第１発光機構及び第１発光機構と並列する第２発光機構を含む。第１発光機構は第１定電流の制御ユニット及び第１定電流の制御ユニットと直列する複数の第１発光ダイオードモジュールを含み、第２発光機構は第２定電流の制御ユニット及び第２定電流の制御ユニットと直列する複数の第２発光ダイオードモジュールを含む。【０００６】  本考案による実施例には、第１定電流の制御ユニットは高電圧であり、第２定電流の制御ユニットは低電圧である。電流を第１定電流の制御ユニットから第２定電流の制御ユニットに分流させる時、降圧によって電位差が生じる。【０００７】  本考案による実施例には、第１定電流の制御ユニットは、金属酸化膜半導体電界効果トランジスタ、電界効果トランジスタ、抵抗及びダイオードを含む。【０００８】  本考案による実施例には、第２定電流の制御ユニットは、金属酸化膜半導体電界効果トランジスタ、電界効果トランジスタ、抵抗及びダイオードを含む。
【考案の効果】
【０００９】  本考案の効果は、電流を第１定電流の制御ユニットから第２定電流の制御ユニットに分流させる時、両方との間で形成される降圧によって、電位差を生じさせ、この電位差を用いて、電位差を用いて、第１発光ダイオードモジュールと第２発光ダイオードモジュールを点灯させ、効率を上げ、電流を下げ、温度を下げ、光度を向上させることを達成する。
【図面の簡単な説明】
【００１０】
【図１】は、本考案の基本構成示す図である。
【図２】は、本考案の回路構成示す図である。
【図３】は、本考案のブロック図である。
【考案を実施するための最良の形態】
【００１１】  本考案の目的、特徴及び効果について、下記の実施例と添付した図面によって、本考案を詳細に説明する。【００１２】  図１は、本考案の基本構成示す図、図２は、本考案の回路構成示す図、図３は、本考案のブロック図である。本考案において、図面に示すように、発光ダイオードの定電流装置は、少なくとも第１発光機構及び第１発光機構と並列する第２発光機構を含み、構成される。【００１３】  第１発光機構１は、第１定電流の制御ユニット１１、及び第１定電流の制御ユニット１１と直列する複数の第１発光ダイオードモジュール１２を含む。第１発光ダイオードモジュール１２は、金属酸化膜半導体電界効果トランジスタ１１１、電界効果トランジスタ１１２、抵抗１１３及びダイオード１１４を含む。【００１４】  前述の第２発光機構２は、第１発光機構１と並列して、第２定電流の制御ユニット２１、第２定電流の制御ユニット２１と直列する複数の第２発光ダイオードモジュール２２を含む。第２発光ダイオードモジュール２２は、金属酸化膜半導体電界効果トランジスタ２１１、電界効果トランジスタ２１２、抵抗２１３及びダイオード２１４を含む。【００１５】  本考案では、電流を第１定電流の制御ユニット１１から第２定電流の制御ユニット１２に流れる。第１定電流の制御ユニット１１は高電圧であり、第２定電流の制御ユニット１２は低高電圧である。よって、電流は、第１定電流の制御ユニット１１の高電圧から第２定電流の制御ユニット１２の低電圧に下げる時、降圧によって、電位差ΔＶが生じる。この電位差ΔＶを電源とすると、降圧のような定電流によって制御を行なう。【００１６】  電流を第１定電流の制御ユニット１１と第２定電流の制御ユニット１２に流れた後、必要な電圧に下げて、降圧のステップでは、電位差ΔＶによって、第１発光ダイオードモジュール２１と第２発光ダイオードモジュール２２に供給して、点灯させる。このように、第１定電流の制御ユニット１１と第２定電流の制御ユニット１２の分流効果を用いて、元定電流回路に電流の降下の状態を生じさせて、第１発光ダイオードモジュール２１と第２発光ダイオードモジュール２２が点灯させ、温度効果と電流損失という効果を有する。【００１７】  前述したように、本考案は特許の三要件、例えば新規性、進歩性及び産業上の利用性に合致する。新規性と進歩性といえば、本考案は発光ダイオードの定電流装置であり、電流を第１定電流の制御ユニットから第２定電流の制御ユニットに分流させる時、両方との間で形成される降圧によって、電位差を生じさせる。この電位差を用いて、電位差を用いて、第１発光ダイオードモジュールと第２発光ダイオードモジュールを点灯させ、効率を上げ、電流を下げ、温度を下げ、光度を向上させることを達成する。産業上の利用性といえば、本考案は商品デリバティブを用いて、現在の市場に対するニーズを完全に満たす。
【符号の説明】
【００１８】  １・・・第１発光機構  １１・・第１定電流の制御ユニット  １２・・・第１発光ダイオードモジュール  １１１、１１２・・・金属酸化膜半導体電界効果トランジスタ  １１２、２１２・・・電界効果トランジスタ  １１３、２１３・・・抵抗  １１４、２１４・・・ダイオード  ２・・・第２発光機構  ２１・・・第２定電流の制御ユニット  ２２・・・第２発光ダイオードモジュール  △Ｖ・・・電位差
【図１】
0003193647.tif 000003
【図２】
0003193647.tif 000004
【図３】
0003193647.tif 000005
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
第１定電流の制御ユニット及び第１定電流の制御ユニットと直列する複数の第１発光ダイオードモジュールを含む第１発光機構と、前記第１発光機構と並列に配置され、かつ第２定電流の制御ユニット及び第２定電流の制御ユニットと直列する複数の第２発光ダイオードモジュールを含む第２発光機構と、を備えることを特徴とする発光ダイオードの定電流装置。
【請求項２】
前記第１定電流の前記制御ユニットは高電圧であり、前記第２定電流の前記制御ユニットは低電圧であり、電流を前記第１定電流の前記制御ユニットから前記第２定電流の前記制御ユニットに分流させる時、降圧によって電位差が生じる請求項１記載の発光ダイオードの定電流装置。
【請求項３】
前記第１定電流の制御ユニットは、金属酸化膜半導体電界効果トランジスタ、前記金属酸化膜半導体電界効果トランジスタに接続された電界効果トランジスタ、前記金属酸化膜半導体電界効果トランジスタに接続された抵抗及びダイオードを含む請求項１記載の発光ダイオードの定電流装置。
【請求項４】
前記第２定電流の制御ユニットは、金属酸化膜半導体電界効果トランジスタ、前記金属酸化膜半導体電界効果トランジスタに接続された電界効果トランジスタ、前記金属酸化膜半導体電界効果トランジスタに接続された抵抗及びダイオードを含む請求項１記載の発光ダイオードの定電流装置。